(57)【要約】【課題】照明装置において、発光効率が良く相対全光束を高くすることができ、且つ演色性を高くする。【解決手段】照明装置１は、複数のＬＥＤ３を備える。ＬＥＤ３は、光を出射するＬＥＤ素子３１と、ＬＥＤ素子３１を覆う色変換部材３３と、を有する。複数のＬＥＤ３は、色変換部材３３からの出射光の色度点が色度座標（０．２７，０．３４）、（０．３８，０．５８）、（０．４５，０．５４）、（０．３３，０．３５）に囲まれる領域の範囲にあって、平均演色評価数Ｒａが７６〜３０となるように形成された第１の発光部３Ａと、出射光の色度点が色度座標（０．４４，０．２２）、（０．３５，０，３６）、（０．５３，０．４４）、（０．６０，０．３５）に囲まれる領域の範囲にあって、平均演色評価数Ｒａが７９〜３０となるように形成された第２の発光部３Ｂと、を有し、第１の発光部３Ａ及び第２の発光部３Ｂの発光強度の比が０．５：７．５〜２．５：５．５の範囲にある。【選択図】図３
2015106502.tif 000002
【特許請求の範囲】
【請求項１】
基板と、前記基板上に配置された複数のＬＥＤと、を備えた照明装置であって、
前記ＬＥＤは、光を出射するＬＥＤ素子と、前記ＬＥＤ素子を覆い該ＬＥＤ素子が出射した光の波長を変換して出射する色変換部材と、を有し、
前記複数のＬＥＤは、
前記色変換部材からの出射光の色度点が色度座標（０．２７，０．３４）、（０．３８，０．５８）、（０．４５，０．５４）、（０．３３，０．３５）に囲まれる領域の範囲にあって、平均演色評価数Ｒａが７６〜３０となるように形成された第１の発光部と、
前記色変換部材からの出射光の色度点が色度座標（０．４４，０．２２）、（０．３５，０，３６）、（０．５３，０．４４）、（０．６０，０．３５）に囲まれる領域の範囲にあって、平均演色評価数Ｒａが７９〜３０となるように形成された第２の発光部と、を有し、
前記第１の発光部及び第２の発光部の発光強度の比が０．５：７．５〜２．５：５．５の範囲にあることを特徴とする照明装置。
【請求項２】
前記第２の発光部は、前記色変換部材からの出射光の色度点が色度座標（０．４４，０．２２）、（０．４０，０，３８）、（０．５３，０．４４）、（０．６０、０．３５）に囲まれる領域の範囲にあるように形成されることを特徴とする請求項１に記載の照明装置。
【請求項３】
前記第２の発光部は、前記色変換部材からの出射光の色度点が色度座標（０．４４，０．２２）、（０．４２，０．３９）、（０．５３，０，４４）、（０．６０，０．３５）に囲まれる領域の範囲にあるように形成されることを特徴とする請求項１又は請求項２に記載の照明装置。
【請求項４】
前記第１の発光部は、前記色変換部材からの出射光の色度点が色度座標（０．３２，０．４３）、（０．３８，０．５４）、（０．４３，０．５１）、（０．３６５，０．４１）に囲まれる領域の範囲にあるように形成され、
前記第２の発光部は、前記色変換部材からの出射光の色度点が色度座標（０．４０，０．２９）、（０．４２，０．３９）、（０．５３，０，４４）、（０．５６，０．４０）に囲まれる領域の範囲にあるように形成されることを特徴とする請求項１乃至請求項３のいずれか一項に記載の照明装置。
【請求項５】
前記第１の発光部は、前記色変換部材からの出射光の色度点が色度座標（０．３２，０．４３）、（０．３６，０．５０）、（０．４１，０．４８）、（０．３６５，０．４１）に囲まれる領域の範囲にあるように形成され、
前記第２の発光部は、前記色変換部材からの出射光の色度点が色度座標（０．４０，０．２９）、（０．４２，０．３９）、（０．５３，０，４４）、（０．５６，０．４０）に囲まれる領域の範囲にあることを特徴とする請求項１乃至請求項４のいずれか一項に記載の照明装置。
【請求項６】
基板と、前記基板上に配置された複数のＬＥＤと、を備えた照明装置であって、
前記ＬＥＤは、光を出射するＬＥＤ素子と、前記ＬＥＤ素子を覆い該ＬＥＤ素子が出射した光の波長を変換して出射する色変換部材と、を有し、
前記複数のＬＥＤは、
前記色変換部材からの出射光の色度点が色度座標（０．３６，０．４３）と（０．３９，０．４５）を結ぶ軌跡から色度偏差±０．０４の範囲にあって、平均演色評価数Ｒａが７６〜３０となるように形成された第１の発光部と、
前記色変換部材からの出射光の色度点が色度座標（（０．４９，０．４１）を中心としたときに色度偏差±０．０４の範囲にあって、平均演色評価数Ｒａが７９〜３０となるように形成された第２の発光部と、を有し、
前記第１の発光部及び第２の発光部の発光強度の比が０．５：７．５〜２．５：５．５の範囲にあることを特徴とする照明装置。
【請求項７】
前記第１の発光部は、前記色変換部材にＹＡＧ系黄色蛍光体を含み、
前記第２の発光部は、前記色変換部材にＹＡＧ系黄色蛍光体と、Ｓｒ２ＢａＳｉＯ５：Ｅｕを主成分とする橙色蛍光体と、を含むことを特徴とする請求項１乃至請求項６にいずれか一項に記載の照明装置。
【請求項８】
前記第２の発光部において、前記橙色蛍光体は、前記色変換部材に含有される蛍光体全体のうち３〜５０重量パーセントの範囲であることを特徴とする請求項７に記載の照明装置。
【請求項９】
前記第２の発光部は、前記第１の発光部を囲うように前記基板上に配置されていることを特徴とする請求項１乃至請求項８のいずれか一項に記載の照明装置。
【発明の詳細な説明】
【技術分野】
【０００１】
本発明は、光源として複数の固体発光素子を用いた照明装置に関する。
【背景技術】
【０００２】
発光ダイオード（以下、ＬＥＤ）は、低電力で高輝度の発光が可能であり、表示等や照明器具等の様々な電気機器の光源として使用されている。近年では、赤色ＬＥＤ及び緑色ＬＥＤに加えて、青色ＬＥＤが実用化され、これらＲＧＢ３色のＬＥＤを組み合わせることにより、様々な光色を発光させることができるようになった。また、青色ＬＥＤに、青色光の波長を変換して黄色光を発光する黄色蛍光体を含有する色変換部材を被覆させ、青色光と黄色光との混光により、白色光を出射する白色ＬＥＤが知られている。
【０００３】
上記白色ＬＥＤに用いられる代表的な黄色蛍光体として、ＹＡＧ系蛍光体が知られている。青色ＬＥＤにＹＡＧ系蛍光体を含有する色変換部材を被覆させた白色ＬＥＤは、分光スペクトルにおける赤色光成分が少ないので、相関色温度が高くなり、昼光色の照明光を出射する照明装置に好適に用いられる。一方、温かみのある電球色の照明光を出射する照明装置には、例えば、ＣＡＳＮ系蛍光体といった赤色光を発光する赤色蛍光体を含有する色変換部材を有するＬＥＤが好適に用いられる。また、色変換部材に添加される蛍光体としては、上記黄色蛍光体や赤色蛍光体に限らず、例えは、緑色蛍光体又は橙色蛍光体等が適宜に組み合わされて用いられる（例えば、特許文献１参照）。
【先行技術文献】
【特許文献】
【０００４】
【特許文献１】特開２００８−１１５３３２号公報
【発明の概要】
【発明が解決しようとする課題】
【０００５】
しかしながら、ＤＯＥ（米国エネルギー省）、ＪＬＥＤＳ（ＬＥＤ照明推進委員会）等によるＬＥＤ照明装置の性能評価によれば、ＷａｒｍＷｈｉｔｅ（電球）色（３０００Ｋ〜５０００Ｋ未満）の発光効率は、ＣｏｏｌＷｈｉｔｅ（昼光）色（５０００Ｋ〜６７００Ｋ）に対して低くなる。図１３は、昼光色の照明光を出射するＬＥＤ（以下、昼光色ＬＥＤ）と、電球色の照明光を出射するＬＥＤ（以下、電球色ＬＥＤ）における発光効率の年次推移を示す。光源である青色ＬＥＤ自体の発光効率は年々向上しており、今後も更なる向上が見込まれる。ところが、蛍光体の発光効率が向上しなければ、昼光色ＬＥＤ及び電球ＬＥＤにおける発光効率の差は広がるばかりである。
【０００６】
また、上記のような蛍光体を用いたＬＥＤ照明装置において、演色性（平均演色評価数Ｒａ）と相対全光束とは、トレードオフの関係にある。例えば、図１４に示すように、青色ＬＥＤに対して、ＹＡＧ系黄色蛍光体及びＳＣＡＳＮ系赤色蛍光体を含有する色変換部材を用いたＬＥＤでは、演色性は高いが相対全光束は低い。この色変換部材に、Ｓｒ２ＢａＳｉＯ５：Ｅｕを主成分とする橙色蛍光体を更に添加した場合、相対全光束は高くなるが、演色性は低くなってしまう。なお、図中の橙色蛍光体の添加率は、従来技術であるＳＣＡＳＮ系赤色蛍光体に対する置き換えの割合である。例えば、橙色蛍光体５０％とは、ＳＣＡＳＮ系赤色蛍光体の５０重量％を橙色蛍光体で置き換えたこと示している。つまり、色変換部材に複数の蛍光体を用いた場合には、演色性と相対全光束とを両立させることが困難である。
【０００７】
本発明は、上記課題を解決するものであり、発光効率が良く相対全光束を高くすることができ、且つ演色性を高くすることができる照明装置を提供することを目的とする。
【課題を解決するための手段】
【０００８】
上記課題を解決するため、本発明に係る照明装置は、基板と、前記基板上に配置された複数のＬＥＤと、を備え、前記ＬＥＤは、光を出射するＬＥＤ素子と、前記ＬＥＤ素子を覆い該ＬＥＤ素子が出射した光の波長を変換して出射する色変換部材と、を有し、前記複数のＬＥＤは、前記色変換部材からの出射光の色度点が色度座標（０．２７，０．３４）、（０．３８，０．５８）、（０．４５，０．５４）、（０．３３，０．３５）に囲まれる領域の範囲にあって、平均演色評価数Ｒａが７６〜３０となるように形成された第１の発光部と、前記色変換部材からの出射光の色度点が色度座標（０．４４，０．２２）、（０．３５，０，３６）、（０．５３，０．４４）、（０．６０，０．３５）に囲まれる領域の範囲にあって、平均演色評価数Ｒａが７９〜３０となるように形成された第２の発光部と、を有し、前記第１の発光部及び第２の発光部の発光強度の比が０．５：７．５〜２．５：５．５の範囲にあることを特徴とする。
【０００９】
上記照明装置において、前記第２の発光部は、前記色変換部材からの出射光の色度点が色度座標（０．４４，０．２２）、（０．４０，０，３８）、（０．５３，０．４４）、（０．６０、０．３５）に囲まれる領域の範囲にあるように形成されることが好ましい。
【００１０】
上記照明装置において、前記第２の発光部は、前記色変換部材からの出射光の色度点が色度座標（０．４４，０．２２）、（０．４２，０．３９）、（０．５３，０，４４）、（０．６０，０．３５）に囲まれる領域の範囲にあるように形成されることが好ましい。
【００１１】
上記照明装置において、前記第１の発光部は、前記色変換部材からの出射光の色度点が色度座標（０．３２，０．４３）、（０．３８，０．５４）、（０．４３，０．５１）、（０．３６５，０．４１）に囲まれる領域の範囲にあるように形成され、前記第２の発光部は、前記色変換部材からの出射光の色度点が色度座標（０．４０，０．２９）、（０．４２，０．３９）、（０．５３，０，４４）、（０．５６，０．４０）に囲まれる領域の範囲にあるように形成されることが好ましい。
【００１２】
上記照明装置において、前記第１の発光部は、前記色変換部材からの出射光の色度点が色度座標（０．３２，０．４３）、（０．３６，０．５０）、（０．４１，０．４８）、（０．３６５，０．４１）に囲まれる領域の範囲にあるように形成され、前記第２の発光部は、前記色変換部材からの出射光の色度点が色度座標（０．４０，０．２９）、（０．４２，０．３９）、（０．５３，０，４４）、（０．５６，０．４０）に囲まれる領域の範囲にあることが好ましい。
【００１３】
また、本発明は、基板と、前記基板上に配置された複数のＬＥＤと、を備えた照明装置であって、前記ＬＥＤは、光を出射するＬＥＤ素子と、前記ＬＥＤ素子を覆い該ＬＥＤ素子が出射した光の波長を変換して出射する色変換部材と、を有し、前記複数のＬＥＤは、前記色変換部材からの出射光の色度点が色度座標（０．３６，０．４３）と（０．３９，０．４５）を結ぶ軌跡から色度偏差±０．０４の範囲にあって、平均演色評価数Ｒａが７６〜３０となるように形成された第１の発光部と、前記色変換部材からの出射光の色度点が色度座標（（０．４９，０．４１）を中心としたときに色度偏差±０．０４の範囲にあって、平均演色評価数Ｒａが７９〜３０となるように形成された第２の発光部と、を有し、前記第１の発光部及び第２の発光部の発光強度の比が０．５：７．５〜２．５：５．５の範囲にあることを特徴とするものであってもよい。
【００１４】
上記照明装置において、前記第１の発光部は、前記色変換部材にＹＡＧ系黄色蛍光体を含み、前記第２の発光部は、前記色変換部材にＹＡＧ系黄色蛍光体と、Ｓｒ２ＢａＳｉＯ５：Ｅｕを主成分とする橙色蛍光体と、を含むことが好ましい。
【００１５】
上記照明装置において、前記第２の発光部において、前記橙色蛍光体は、前記色変換部材に含有される蛍光体全体のうち３〜５０重量パーセントの範囲であることが好ましい。
【００１６】
上記照明装置において、前記第２の発光部は、前記第１の発光部を囲うように前記基板上に配置されていることが好ましい。
【発明の効果】
【００１７】
本発明によれば、第２の発光部により発光効率の低下を抑制し、第１の発光部により演色性を向上させるので、発光効率が良く相対全光束を高くすることができ、且つ演色性を高くすることができる。
【図面の簡単な説明】
【００１８】
【図１】本発明の一実施形態に係る照明装置の斜視図。
【図２】（ａ）は同照明装置に用いられる第１の発光部の側断面図、（ｂ）は同照明装置の第２の発光部の側断面図。
【図３】同照明装置の各発光部からの出射光の色度の一例を示す色度図。
【図４】同照明装置の各発光部からの出射光の色度のより好ましい例を示す色度図。
【図５】同照明装置の各発光部からの出射光の色度のより好ましい例を示す色度図。
【図６】同照明装置の各発光部からの出射光の色度のより好ましい例を示す色度図。
【図７】同照明装置の各発光部からの出射光の色度のより好ましい例を示す色度図。
【図８】同照明装置の各発光部からの出射光の色度の他例を示す色度図。
【図９】上記各発光部からの出射光の分光スペクトルを示す図。
【図１０】上記各発光部の発光強度を変化させたときの色度の変化を示す色度図。
【図１１】上記各発光部（電球色ＬＥＤ）からの出射光と、従来の電球色ＬＥＤからの出射光の分光スペクトルを示す図。
【図１２】上記各発光部（電球色ＬＥＤ）からの出射光と、従来の電球色ＬＥＤからの出射光の平均演色評価数と相対全光束との関係を示す図。
【図１３】従来の昼光色照明と電球色照明との発光効率の年次推移を示す図。
【図１４】従来の電球色ＬＥＤからの出射光の平均演色評価数と相対全光束との関係を示す図。
【発明を実施するための形態】
【００１９】
本発明の一実施形態に係る照明装置について、図１〜図１２を参照して説明する。図１に示すように、本実施形態の照明装置１は、基板２と、基板２上に配置された複数のＬＥＤ３と、を備える。また、照明装置１は、開口４０を有する筒状の筐体４と、筐体４の底面４１に設けられて基板２を保持するダイカスト部材５と、を備える。開口４０には、各ＬＥＤ３から出射された光を拡散して外部に放射する拡散部材（不図示）が設けられる。ダイカスト部材５は、筐体４の底面４１の内周よりも小さく、基板２に接続される配線を挿通させるための孔（不図示）等が形成されている。また、照明装置１は、ＬＥＤ３を夫々点灯駆動させる駆動ドライバ（不図示）を備える。
【００２０】
基板２は、矩形の平板であり、複数のＬＥＤ３を実装するための電極パッド及び給電用の回路基板（不図示）が形成されている。基板２の端部にはネジ６を挿通させるための固定部が設けられており、基板２は、ネジ６を介してダイカスト部材５及び筐体４に固定される。本例では、基板２上に計８個のＬＥＤ３が実装されている。これらＬＥＤ３は、互いに発光色の異なる２種のＬＥＤ（第１の発光部３Ａ及び第２の発光部３Ｂ）の組み合わせから成り、１個の第１の発光部３Ａと、７個の第２の発光部３Ｂが用いられる。
【００２１】
図３（ａ）に示すように、第１の発光部３Ａ（ＬＥＤ３）は、断面矩形状の基材３０と、基材３０上に実装されたＬＥＤ素子３１と、ＬＥＤ素子３１を取り囲む凹部を有する枠体３２と、枠体３２に充填される色変換部材３３（第１の色変換部材３３Ａ）と、を備える。色変換部材３３の母材には、シリコーン樹脂等の透光性樹脂が用いられ、ＬＥＤ素子３１からの出射光の波長を変換する蛍光体３４（ＹＡＧ系黄色蛍光体３４Ｙ）が含有される。
【００２２】
基材３０の一側面にはカソード電極３５が、他側面にはアノード電極３６がリードフレーム状に夫々設けられ、基材３０の下面両端部に形成された外部接続電極３７，３８に夫々接続される。また、カソード電極３５及びアノード電極３６は、ワイヤ３９によってＬＥＤ素子３１の各電極端子（不図示）に夫々接続される。
【００２３】
ＬＥＤ素子３１には、ピーク波長を紫青色（３８０〜４７０ｎｍ）の波長帯とする青紫色発光素子が好適に用いられる。青紫色発光素子には、ＩｎＧａＮ系青色ＬＥＤチップ（例えば、日亜化学社製、豊田合成社製、Ｅｐｉｓｔａｒ社製、三菱化学社製のもの等）等が用いられる。この青紫色発光素子を用いたＬＥＤ素子３１は、紫青色（３８０〜４７０ｎｍ）の波長帯にピーク波長を有し、蛍光体３４を高効率に励起する。
【００２４】
また、図３（ｂ）に示すように、第２の発光部３Ｂは、色変換部材３３（第２の色変換部材３３Ｂ）に、ＹＡＧ系黄色蛍光体３４Ｙに加えて、Ｓｒ２ＢａＳｉＯ５：Ｅｕを主成分とする橙色蛍光体３４Ｏと、ＳＣＡＳＮ系赤色蛍光体３４Ｒを含有する。これらの蛍光体の表面は、薄膜によりコーティングされていることが望ましい。なお、上述した第１の発光部３Ａには、橙色蛍光体３４Ｏ及び赤色蛍光体３４Ｒは含まれていない。
【００２５】
このように、色変換部材の蛍光体の種類及び添加量が適宜に調整されることにより、第１の発光部３Ａ及び第２の発光部３Ｂは、各色変換部材３３からの出射光の色度点が夫々設定される。具体的には、図３に示すように、第１の発光部３Ａは、出射光の色度点が色度座標（０．２７，０．３４）、（０．３８，０．５８）、（０．４５，０．５４）、（０．３３，０．３５）に囲まれる領域の範囲にあって、平均演色評価数Ｒａが７６〜３０となるように形成される。また、第２の発光部３Ｂは、出射光の色度点が色度座標（０．４４，０．２２）、（０．３５，０，３６）、（０．５３，０．４４）、（０．６０，０．３５）に囲まれる領域の範囲にあって、平均演色評価数Ｒａが７９〜３０となるように形成される。第１の発光部３Ａ及び第２の発光部３Ｂの各出射光の色度が、上記色度範囲となるように設定されることにより、白色、温白色、電球色の光色において、望ましい演色性を実現することができる。第１の発光部３Ａの平均演色評価数Ｒａは７６〜６０、第２の発光部３Ｂの平均演色評価数Ｒａは７９〜６０であることがより好ましい。
【００２６】
また、温白色、電球色の光色において望ましくは、図４に示すように、第２の発光部３Ｂは、出射光の色度点が色度座標（０．４４，０．２２）、（０．４０，０，３８）、（０．５３，０．４４）、（０．６０、０．３５）に囲まれる領域の範囲にあるように形成される。また、電球色の光色において望ましくは、図５に示すように、第２の発光部３Ｂは、出射光の色度点が色度座標（０．４４，０．２２）、（０．４２，０．３９）、（０．５３，０，４４）、（０．６０，０．３５）に囲まれる領域の範囲にあるように形成される。
【００２７】
また、電球色の光色において更に望ましくは、図６に示すように、第１の発光部３Ａは、出射光の色度点が色度座標（０．３２，０．４３）、（０．３８，０．５４）、（０．４３，０．５１）、（０．３６５，０．４１）に囲まれる領域の範囲にあるように形成される。このとき、第２の発光部３Ｂは、出射光の色度点が色度座標（０．４０，０．２９）、（０．４２，０．３９）、（０．５３，０，４４）、（０．５６，０．４０）に囲まれる領域の範囲にあるように形成される。第１の発光部３Ａ及び第２の発光部３Ｂの各出射光の色度が、上記色度範囲となるように設定されることにより、電球色の光色において効率が良く、望ましい演色性を実現することができる。
【００２８】
また、図７に示すように、第１の発光部３Ａは、出射光の色度点が色度座標（０．３２，０．４３）、（０．３６，０．５０）、（０．４１，０．４８）、（０．３６５，０．４１）に囲まれる領域の範囲にあるように形成されてもよい。このとき、第２の発光部３Ｂは、出射光の色度点が色度座標（０．４０，０．２９）、（０．４２，０．３９）、（０．５３，０，４４）、（０．５６，０．４０）に囲まれる領域の範囲にあるように形成されてもよい。
【００２９】
また、別例としては、図８に示すように、第１の発光部３Ａが（０．３６，０．４３）と（０．３９，０．４５）を結ぶ軌跡から色度偏差±０．０４範囲にあるように形成される。また、このとき、第２の発光部３Ｂは（０．４９，０．４０）を中心としたときに色度偏差±０．０４の範囲にあるように形成される。
【００３０】
また、本実施形態においては、図１に示したように、１個の第１の発光部３Ａと、７個の第２の発光部３Ｂが用いられている。図９は、この条件において、第１の発光部３Ａ、第２の発光部３Ｂを夫々点灯させたとき、及びそれら全てを点灯させたときの分光スペクトルを示す。この例において、第１の発光部３Ａ（１個）の平均演色評価数Ｒａは７４であった。また、第２の発光部３Ｂ（７個）の平均演色評価数Ｒａは７６であった。一方、２種の発光部３Ａ及び発光部３Ｂの計８個を点灯させると、第２の発光部３Ｂの７個の場合よりも、第１の発光部３Ａからの光の影響によって、相対強度は高くなり、ピーク波長が低波長側にシフトする。そして、このときの平均演色評価数Ｒａは８０であった。つまり、平均演色評価数Ｒａが比較的低い２種の発光部を同時に点灯させることで、それらを個別に点灯させる場合に比べて、演色性を向上させることができる。
【００３１】
また、図１０は、第１の発光部３Ａ及び第２の発光部３Ｂの発光強度を変化させたときの混色光の色度を示す。図中の領域Ｌａは電球色規格の色度の範囲を示し、領域Ｌｂは、電球色規格でもより好ましい色度の範囲を示す。これらの結果から、第１の発光部３Ａ及び第２の発光部３Ｂの発光強度の比は、０．５：７．５〜２．５：５．５の範囲にあることが好ましく、１：７〜２：６の範囲にあることがより好ましいことが分かる。この範囲であれば、より好ましい電球色の照明光を得ることができる。特に、上記実施形態で示したように、第１の発光部３Ａ及び第２の発光部３Ｂの発光強度の比が１：７である場合、色度が黒体放射軌跡に近く、より自然な電球色の照明光を得ることができる。
【００３２】
図１１は、蛍光体としてＹＡＧ系黄色蛍光体及びＳＣＡＳＮ系赤色蛍光体を用いた従来の電球色ＬＥＤと、本実施形態（第１の発光部３Ａ：第２の発光部３Ｂ＝１：７）による電球色ＬＥＤと、目標値とする分光スペクトルを夫々示す。本実施形態による電球色ＬＥＤでは、従来の電球色ＬＥＤに比べて、発光強度が１２０％以上となり、目標値も超えていた。
【００３３】
また、従来の電球色ＬＥＤ、及び本実施形態の電球色ＬＥＤの平均演色評価数Ｒａは、いずれも８０を超えており、照明装置に要求される演色性を満たすものであった。一方、本実施形態の電球色ＬＥＤの相対全光束では、従来の電球色ＬＥＤに対して１２０％であった。また、図１２に示すように、ＹＡＧ系黄色蛍光体３４Ｙ及びＳＣＡＳＮ系赤色蛍光体３４Ｒに、更にＳｒ２ＢａＳｉＯ５：Ｅｕを主成分とする橙色蛍光体３４Ｏを加える場合（曲線で結ばれた各プロット参照）に比べて、演色性及び全光束は共に向上した。なお、図中の％は、ＳＣＡＳＮ系赤色蛍光体３４Ｒに対する橙色蛍光体３４Ｏの置き換えの割合である。
【００３４】
色変換部材に、複数の蛍光体を含有させた場合、長波長側で発光する蛍光体が、短波長側で発光した光を吸収して、長波長側へ波長変換することにより、発光効率が低下する。つまり、図１２に示した従来の電球色ＬＥＤ（ＹＡＧ系黄色蛍光体及びＳＣＡＳＮ系赤色蛍光体）では、ＳＣＡＳＮ系赤色蛍光体による波長変換により、発光効率が低下する。これに対して、本実施形態においては、Ｓｒ２ＢａＳｉＯ５：Ｅｕを主成分とする橙色蛍光体３４Ｏを用いた第２の発光部３Ｂにより、ＳＣＡＳＮ系赤色蛍光体３４Ｒによる発光効率の低下を抑制することができる。また、ＹＡＧ系黄色蛍光体３４Ｙを用いた第１の発光部３Ａを用いることで演色性を向上させる。従って、発光効率が良く相対全光束を高くすることができ、且つ演色性を高くすることができる。
【００３５】
また、第２の発光部３Ｂにおいて、橙色蛍光体３４Ｏ（上記図２（ｂ）参照）は、蛍光体全体のうち３〜５０重量パーセントの範囲で色変換部材３３に添加されていることが好ましい。この範囲であれば、演色性の低下を抑えながら、バランス良く全光束を多くすることができる。
【００３６】
また、照明装置１において、第２の発光部３Ｂは、第１の発光部３Ａを囲うように基板２上に配置されていることが好ましい（上記図１参照）。第２の発光部３Ｂと第１の発光部３Ａとは、出射光の光色が異なるが、本実施形態においては、第１の発光部３Ａが、個数の多い第２の発光部３Ｂよりも相対的に中央寄りの位置に配置されるので、第１の発光部３Ａの出射光が、第２の発光部３Ｂの出射光に混光され、色ムラを抑制することができる。
【００３７】
なお、本発明は、上記実施形態に限らず、種々の変形が可能である。上記実施形態においては、複数のＬＥＤ３のうち、第１の発光部３Ａと第２の発光部３Ｂとの存在割合が１：７である構成に基づいて説明した。しかしながら、第１の発光部３Ａと第２の発光部３Ｂとの発光強度の比を０．５：７．５〜２．５：５．５の範囲にできれば、必ずしもＬＥＤ３の存在割合が上記の通りでなくてもよい。例えば、第１の発光部３Ａと第２の発光部３Ｂの出力比を制御する、又は第１の発光部３Ａと第２の発光部３Ｂとの各発光面積を制御することにより、上記発光強度の比を設定することができる。
【符号の説明】
【００３８】
１    照明装置
２    基板
３    ＬＥＤ
３Ａ    第１の発光部
３Ｂ    第２の発光部
３３    色変換部材
３４    蛍光体
３４Ｙ    ＹＡＧ系黄色蛍光体
３４Ｒ    ＳＣＡＳＮ系赤色蛍光体
３４Ｏ    Ｓｒ２ＢａＳｉＯ５：Ｅｕを主成分とする橙色蛍光体
【図１】
2015106502.tif 000003
【図２】
2015106502.tif 000004
【図９】
2015106502.tif 000005
【図１１】
2015106502.tif 000006
【図１２】
2015106502.tif 000007
【図１４】
2015106502.tif 000008
【図３】
2015106502.tif 000009
【図４】
2015106502.tif 000010
【図５】
2015106502.tif 000011
【図６】
2015106502.tif 000012
【図７】
2015106502.tif 000013
【図８】
2015106502.tif 000014
【図１０】
2015106502.tif 000015
【図１３】
2015106502.tif 000016